【事件の表示】
　平成　７年特許願第３１６６７９号「計算機支援画像診断装置」拒絶査定不服審判事件〔平成　８年１１月１２日出願公開、特開平　８−２９４４７９〕について、次のとおり審決する。
【結　論】
　本件審判の請求は、成り立たない。
【理　由】
１．手続の経緯　
　本願は、平成７年１２月５日（優先権主張、平成７年１月２３日、日本）の出願であって、平成１５年８月１５日付けで拒絶査定がなされ、これに対し、同年９月１８日に審判請求が行われるとともに、同年１０月１７日付けで手続補正が行われたものである。　
　
２．平成１５年１０月１７日付け手続補正についての補正却下の決定　
［補正却下の決定の結論］　
　平成１５年１０月１７日付け手続補正を却下する。　
　
［理由］　
（１）補正後の請求項１に記載された発明　
　本件補正により、特許請求の範囲の請求項１は次のとおりに補正された。
「
乳房を被写体として、該
　該全体画像データに基づいて前記放射線画像のうち異常陰影の候補を検出する異常陰影候補検出手段と、　
　該異常陰影候補検出手段による前記異常陰影の候補の検出の結果に基づいて、前記異常陰影の候補の存在の有無を判定する判定手段と、　
　該判定手段により前記異常陰影の候補が存在すると判定された場合に、前記全体画像記憶手段に記憶された前記全体画像データのうち、前記異常陰影の候補を含む局所領域の局所画像データを抽出する局所領域抽出手段と、　
　前記全体画像データに基づいて前記被写体の放射線画像の全体を表示する全体画像表示手段と、　
　
前記全体画像表示手段によって兼ねられる局所画像表示手段であって、
前記全体画像表示手段の表示面上の一部に設けられた表示領域であって、表示されている該放射線画像の全体中の前記局所領域とは異なる位置に設けられた表示領域に、
重ねて
　本件補正は、補正前の請求項１に記載した発明を特定するために必要な事項である「被写体」について「乳房」と限定すると共に、「局所画像表示手段」について「前記全体画像表示手段によって兼ねられる局所画像表示手段であって、」及び「前記全体画像表示手段の表示面上の一部に設けられた表示領域であって、表示されている該放射線画像の全体中の前記局所領域とは異なる位置に設けられた表示領域に、・・・前記局所領域の画像を重ねて表示する」との限定を付加するものであって、平成１５年改正前の特許法第１７条の２第４項第２号に規定する特許請求の範囲の減縮を目的とするものに該当する。　
　そこで、本願補正発明が特許出願の際独立して特許を受けることができるものであるか（平成１５年改正前の特許法第１７条の２第５項において準用する特許法第１２６条第４項の規定に適合するか）について検討する。　
　
（２）引用例　
　原査定の拒絶の理由に引用した、本願出願日前に頒布された刊行物である特表平５−５０１５１３号公報（以下、「引用刊行物」という。）には、「人間の胸部の悪性腫瘍に対する検査を補助するための方法とその方法を実施するための装置」の発明が記載されており、図面とともに次の記載がある。
ア．「この発明によれば、放射線科医や内科医などの人が、専門家の診断能力を利用して、検査を促進したり、あるいはその検査を確認したりすることができる。多くの、経験に基づく基準が、乳房Ｘ線写真の分析の経験を積んだ放射線科医による直感的な基準に基づいて開発されている。この予め選んだ基準は、その後、コンピュータプログラムにより実行される。本質的には、この発明は乳房Ｘ線写真内の疑わしいマスや微小石灰化像を持つ領域を決定するため、空間的な領域フィルタを適用している。・・・この発明は、特性を特徴づけする情報を得るために乳房Ｘ線写真の光学的な分析を行い、その後、予め選択した基準をその情報に適用して検査するべき胸の領域、すなわち基準に見合う特性を含む領域、を特徴づけし、それから、その領域を表示するようにしたものである。興味を引く領域を同定するために適用された基準は、多くの経験を積んだ放射線科医により提供された診断を分析することにより、選択することができる。この分析はこのような放射線科医が取る直感的なアプローチを特徴づけする情報を提供することになる。この診断の情報はそれから数学的な基準に変換され、この基準を適用するためにコンピュータプログラムが準備される。興味を引く特性は、胸部にマスが存在することがわかる濃度（濃度の高い部分）かあるいは胸部の石灰化像の存在である。同定された領域は使用するために表示される。この表示は、検査中の乳房Ｘ線写真の視覚的な再構成上で領域を強調することにより達成されることが最も望ましい。・・・この発明はまた、予め選択した条件に対する対象物の検査を補助するための装置も含む。このため、この発明は対象物の像から情報を得るためのオプトエレクトロニクス手段と、その像をそのような手段の視野中におくためのテーブルと、その像の検査すべき領域を同定するオプトエレクトロニクス手段から情報を得るためのコンピュータとを含んでいる。像は乳房Ｘ線写真でもよく、予め選択した条件は予め選択した基準を満たす、図示された胸部の特性とすることができる。装置はオプトエレクトロニクス手段上に、像が支持されているテーブル上の位置に対し相対的に、その像の視野を変化することができるよう、ズームレンズかあるいはそのようなものを備えている事が、最も望ましい。これにより、乳房Ｘ線写真の特別な部位あるいは領域を拡大することができる。表示モニタは、像の拡大部だけでなく、強調された疑問点のある領域のあるまたはない全体像も表示するための装置の一部として含まれる。」（第７頁右下欄第３行から第８頁右上欄第９行）　
イ．「この発明の装置の好ましい実施例について、図１の線図中の参照数字１１により、一般的に説明する。このような装置は光学的サブアセンブリー１２とマイクロコンピュータサブアセンブリー１３を備える。これらのサブアセンブリー１２と１３は、それぞれ乳房Ｘ線写真から情報をひきだし、その情報を処理する。　
　サブアセンブリ１２は図示されているようにキャビネット中に設けることが望ましい。それは乳房Ｘ線写真のような対象物の像から情報を得るためのオプトエレクトロニクス手段を含む。最も簡単には、そのような手段はカメラ１４により、この好ましい実施例において実施できる。・・・カメラ１４はキャビネット内に、図面で１７で表される標準ｘ，ｙ，ｚ位置決めシステムにより吊るされている。このようなシステムにより、希望どおりにカメラを移動させることができ、カメラを像に対し相対的に調節することができる。すなわち、テーブル１５により特徴づけされる位置はＸ−線写真に対し平面的であり、カメラの位置はその場所に一般に平行な面内に在り、そのテーブルから離したり近づけたりして調節できる。そのような調節により、カメラの視野の中にあるフィルムの特別な領域を選択することができる。カメラ１４はまたその像をとらえるためのズームレンズ１８を有していることが最も望ましい。そのようなレンズにより、乳房Ｘ線写真の部分の拡大図（あるいは縮小図）を得るためにカメラの視野を選択的に拡大したり縮小したりすることができる。・・・　
　ビデオカメラにより得られたデータあるいは情報は、線１９で示されるように、マイクロコンピュータサブアセンブリ１３に提供される。このようなサブアセンブリはカメラ１４からの情報を受け取り、その情報を適当なデジタル情報に変換するためのビデオ収集カード２０を備えている。言い換えれば、乳房Ｘ線写真あるいはその一部のデジタル表現が生成される。・・・　
　さらにマイクロコンピュータはそれを使用するために典型的に備えられる中央演算装置と内部記憶装置とを含む。このコンピュータは本発明を実行するようにプログラムされる。・・・マイクロコンピュータサブアセンブリはまた、図中２１で示される付加記憶装置を含んでいる。この記憶装置の部分は全く記録保管するものであることが望ましく、これに関連して、磁気テープまたは適当なドライブとすることができる。　
　計算結果を表示するための手段も備える。そのような手段は、以下に記述されるように結果を視覚的に表示するためのグラフィックスモニタ２２を含む。・・・　
　マイクロコンピュータサブアセンブリ１３はまた、データの入力や様々な演算の選択や出力ができるように、２７で表されるキーボードやマウス２８のような標準的な入力周辺装置を有する。」（第８頁左下欄第６行から第９頁右上欄第１３行）　
ウ．「この発明を好ましく実行するには、まずキーボードにより、コンピュータに入力するよう促進され、乳房Ｘ線写真情報が入力された患者に対する特徴を同定する。コンピュータは、そのような患者に対し、ハードディスクメモリ中の記憶箇所を割り当て、その患者に対しサブディレクトリィを作成する。使用者はそれから、直ちに処理中の乳房Ｘ線写真を挿入し、胸部の全領域がグラフィックスモニタ上に表示されるようにカメラを配置する・・・。カメラ１４は使用者により、ｘ，ｙ，ｚ位置決め支持体１７によって位置決めされ、必要があれば、スームレンズ１８が乳房Ｘ線写真のモニタ上でのフルフレーム再構成を得るために、備えられる。・・・図２（Ａ）はこの場合の視覚表示を示したものである。　
　・・・・・　
　乳房Ｘ線写真により特徴づけされた情報は、いったんコンピュータにより収集されると、予め選択した基準をその情報に対して適用し、本格的な検査の根拠と考えられる胸部の領域を同定する。すなわち、コンピュータは、胸部の様々の場所における灰色尺度レベルをバックグラウンドの灰色尺度レベルと比較し、検査すべきマスを示す可能性の高い濃度の高い部分を同定する。　
　これに関連して、バックグラウンドに比べ、このような濃度の高い部分はずっと明るい（灰色尺度レベルが高い）。そのように同定された部分はそれから強調される。どのマスを強調すべきかを決定する際には、マスの形もまた下記に示すように考慮される。約４ミルから３センチの領域の周囲のバックグラウンドよりも約５倍の明るさをもつ灰色尺度レベルを示す、濃度の高い部分はどれも強調される。強調は様々な方法で行うことができるが、この発明により実行する際、この実施例ではモニタ２２上にコンピュータにより同定されたマスのその周囲を四角で囲むことで、胸部の表示がされる。図２（Ｂ）は、このような像を示す。　
　コンピュータはまた、乳房Ｘ線写真から得られる構成が石灰化像（あるいは微小石灰化像）を特徴づけするかどうかを決定する。これに関連して、石灰化像は乳房Ｘ線写真のバックグラウンド灰色尺度あるいは濃度の高い部分よりもずっと明るい。最低２つの石灰化像のクラスタが、約１ｃｍ２の領域で検出されると、その領域が強調される。またその領域はモニタ２２上に視覚的に表示され、図２（ｃ）はその図を示している。　
　・・・・・　
　この発明の特に顕著な特徴としては、例えば、強調した領域を拡大することができる。この拡大は簡単に、ズームレンズを使って、カメラの視野を、例えばマウス２８を使って窓を描くことにより選択した領域と、一致するように変えることにより行う。拡大した領域のリアルタイムの視覚表示はモニタ２２のスクリーン上におかれる。図２（Ｅ）は強調されたマスの拡大したものを示している。このような拡大により、より詳細なことが提供でき、肉眼でみることができるよう、本発明が促進されることが明らかになるだろう。リアルタイムにおける像の部分に対し、コンピュータによりデジタルフィルタを適用することが最も望ましく、形の鮮明さや対比が向上する。このようなフィルタは、このような検査を促進するために、拡大されたあるいは拡大されていない写真について適用できる。」（第９頁左下欄第４行から第１０頁左下欄第５行）　
　そして、引用刊行物記載のマイクロコンピュータサブアセンブリー１３は、内部記憶装置及び付加記憶装置２１を含むものであり、ビデオカメラ１４により得られた情報はビデオ収集カード２０によりデジタル情報に変換されて処理されるものであるから、情報すなわち画像データの記憶手段を有することが明らかである。　
　また、上記摘記事項ウ．の「乳房Ｘ線写真により特徴づけされた情報は、いったんコンピュータにより収集されると、予め選択した基準をその情報に対して適用し、本格的な検査の根拠と考えられる胸部の領域を同定する。すなわち、コンピュータは、胸部の様々の場所における灰色尺度レベルをバックグラウンドの灰色尺度レベルと比較し、検査すべきマスを示す可能性の高い濃度の高い部分を同定する。」との記載から、引用刊行物記載のマイクロコンピュータサブアセンブリー１３が、Ｘ線画像のうち異常陰影の候補を検出し、その検出の結果に基づいて異常陰影の候補の存在の有無を判定する手段を有することが明らかである。　
　さらに、モニタ２２上の表示画像である、第２図の２（Ａ），２（Ｂ）及び２（Ｃ）は被写体の全体画像であり、第２図の２（Ｆ）が被写体の局所画像であることが明らかである。　
　してみると、これらの記載及び第１，２図の記載から、引用刊行物には「乳房を被写体として、該被写体のＸ線画像を表す全体画像データを記憶する手段と、該全体画像データに基づいて前記Ｘ線画像のうち異常陰影の候補を検出し、その検出の結果に基づいて異常陰影の候補の存在の有無を判定する手段と、ズームレンズを使って視野を拡大したカメラにより異常陰影の候補を含む局所領域の局所画像データを得る手段と、前記全体画像データに基づいて前記被写体の全体画像を、又は、前記局所画像データに基づいて前記被写体の局所画像を表示するモニタ２２とを備えた人間の胸部の悪性腫瘍に対する検査を補助するための装置。」（引用刊行物記載の発明）が記載されているものと認められる。　
　
（３）対比・判断　
　本願補正発明と上記引用刊行物記載の発明とを対比する。　
　引用刊行物記載の発明の「Ｘ線画像」が、本願補正発明の「放射線画像」に相当することは明らかである。　
　また、引用刊行物記載の発明の「該全体画像データに基づいて前記Ｘ線画像のうち異常陰影の候補を検出し、その検出の結果に基づいて異常陰影の候補の存在の有無を判定する手段」は、本願補正発明の「該全体画像データに基づいて前記放射線画像のうちの異常陰影の候補を検出する異常陰影候補検出手段」及び「該異常陰影候補検出手段による前記異常陰影の候補の検出の結果に基づいて、前記異常陰影の候補の存在の有無を判定する判定手段」に相当するものである。　
　そして、引用刊行物記載の発明の「前記全体画像データに基づいて前記被写体の全体画像を、又は、前記局所画像データに基づいて前記被写体の局所画像を表示するモニタ２２」は、被写体の全体画像又は局所画像を表示する手段という意味で、本願補正発明の「全体画像表示手段」及び「局所画像表示手段」と対応するものである。　
　さらに、引用刊行物記載の発明の「人間の胸部の悪性腫瘍に対する検査を補助するための装置」は、マイクロコンピュータを備えるものであるから、本願発明にいう「計算機支援画像診断装置」と対応するものである。　
　してみると、両者は「乳房を被写体として、該被写体の放射線画像を表す全体画像データを記憶する全体画像記憶手段と、該全体画像データに基づいて前記放射線画像のうちの異常陰影の候補を検出する異常陰影候補検出手段と、該異常陰影候補検出手段による前記異常陰影の候補の検出の結果に基づいて、前記異常陰影の候補の存在の有無を判定する判定手段と、異常陰影の候補を含む局所領域の局所画像データを得る手段と、前記全体画像データに基づいて前記被写体の放射線画像の全体画像を表示し、又は、前記局所画像データに基づいて前記被写体の局所画像を表示する表示手段とを備えた計算機支援画像診断装置。」である点で一致し、次の点で相違すると認められる。　
（相違点１）　
　局所領域の局所画像データを得る手段が、本願補正発明では、全体画像記憶手段に記憶された全体画像データのうち、異常陰影の候補を含む局所領域の局所画像データを抽出する局所領域抽出手段であるのに対し、引用刊行物では、ズームレンズを使って視野を拡大したカメラ１４である点。　
（相違点２）　
　被写体の全体画像又は局所画像を表示する表示手段について、本願補正発明では、全体画像表示手段によって兼ねられる局所画像表示手段であって、該全体画像表示手段が前記放射線画像を表示している間に、前記全体画像表示手段の表示面上の一部に設けたられた表示領域であって、表示されている該放射線画像の全体中の局所領域とは異なる位置に設けられた表示領域に、前記局所領域抽出手段により抽出された前記局所画像データに基づく前記局所領域の画像を重ねて表示する局所画像表示手段であるのに対して、引用刊行物記載の発明では、全体画像データに基づいて被写体の全体画像を、又は、局所画像データに基づいて被写体の局所画像を表示する表示手段である点。　
　
　上記相違点について検討する。　
　相違点１について、　
　引用刊行物記載の発明は、全体画像のうちの局所画像のデータを得るのにズームレンズを使って視野を拡大したカメラの情報を用いているが、全体画像のうちの局所画像のデータを得るために、記憶された全体画像データから局所領域の局所画像データを抽出することは特開平１−９９０８３号公報にみられるように周知の技術であるから、引用刊行物記載の発明において、異常陰影の候補が存在すると判定された場合に局所領域の局所画像データを得るために、ズームレンズを使って視野を拡大したカメラを用いるに代えて、全体画像記憶手段に記憶された全体画像データのうち、異常陰影の候補を含む局所領域の局所画像データを抽出する局所領域抽出手段を設けることは当業者ならば容易に想到し得たものと認められる。　
　相違点２について、　
　引用刊行物には、表示手段に被写体の全体画像又は局所画像を表示することしか記載されていないが、診断装置において、比較のために、全体画像と局所画像とを同時表示することは特開平１−９９０８３号公報の第２図や特開平１−９９０８４号公報の第２図にみられるように周知であり、また、注目領域が見づらくならないように配置して２つの画像を重ねて表示することも上記特開平１−９９０８４号公報の第２図や特開平４−１３４４９４号公報の第１Ｂ図、特開平６−１８９１９８号公報の図４（Ｄ）にみられるように周知であるから、これら周知技術を用いて、被写体の全体画像及び局所画像の表示手段として、全体画像表示手段によって兼ねられる局所画像表示手段であって、該全体画像表示手段が放射線画像を表示している間に、前記全体画像表示手段の表示面上の一部に設けられた表示領域に、局所画像データに基づく局所領域の画像を重ねて表示する局所画像表示手段を備えるようにすることは、当業者ならば容易に想到し得たものと認められる。　
　そして、本願補正発明の作用効果も、引用刊行物記載の発明及び上記周知技術から当業者であれば予測できる範囲のものである。　
　　したがって、本願補正発明は、引用刊行物記載の発明及び上記周知技術に基づいて、当業者が容易に発明をすることができたものであるから、特許法第２９条第２項の規定により特許出願の際に独立して特許を受けることができないものである。　
　
（４）むすび　
　以上のとおり、本件補正は、平成１５年改正前の特許法第１７条の２第５項において準用する同法第１２６条第４項の規定に違反するものであり、特許法第１５９条第１項で読み替えて準用する同法第５３条第１項の規定により却下すべきものである。　
　
３．本願発明について　
（１）本願発明　
　平成１５年１０月１７日付け手続補正は上記のとおり却下されたので、本願の請求項１に係る発明（以下、「本願発明」という。）は、平成１５年６月３日付け手続補正書で補正された明細書の特許請求の範囲請求項１に記載された次のとおりのものである。　
「被写体の放射線画像を表す全体画像データを記憶する全体画像記憶手段と、　
　該全体画像データに基づいて前記放射線画像のうち異常陰影の候補を検出する異常陰影候補検出手段と、　
　該異常陰影候補検出手段による前記異常陰影の候補の検出の結果に基づいて、前記異常陰影の候補の存在の有無を判定する判定手段と、　
　該判定手段により前記異常陰影の候補が存在すると判定された場合に、前記全体画像記憶手段に記憶された前記全体画像データのうち、前記異常陰影の候補を含む局所領域の局所画像データを抽出する局所領域抽出手段と、　
　前記全体画像データに基づいて前記被写体の放射線画像の全体を表示する全体画像表示手段と、　
　該全体画像表示手段が前記放射線画像を表示している間に、該放射線画像中の前記局所領域との同時観察が可能となるように、前記局所領域抽出手段により抽出された前記局所画像データに基づく前記局所領域の画像を別途表示する局所画像表示手段とを備えたことを特徴とする計算機支援画像診断装置。」　
　
（２）引用例　
　原査定の拒絶の理由に引用した引用刊行物及びその記載事項は、上記「２．（２）引用例」に記載したとおりである。　
　
（３）対比・判断　
　本願発明は、前記２．で検討した本願補正発明から「被写体」の限定事項である「乳房」との構成を省くと共に、「局所画像表示手段」の限定事項である「前記全体画像表示手段によって兼ねられる局所画像表示手段であって、」及び「前記全体画像表示手段の表示面上の一部に設けられた表示領域であって、表示されている該放射線画像の全体中の前記局所領域とは異なる位置に設けられた表示領域に、・・・前記局所領域の画像を重ねて表示する」との構成を省いたものである。　
　そうすると、本願発明の構成要件を全て含み、さらに他の構成要件を付加したものに相当する本願補正発明が、上記「２．（３）対比・判断」に記載したとおり、引用刊行物記載の発明及び上記周知技術に基づいて、当業者が容易に発明をすることができたものであるから、本願発明も、同様の理由により、引用刊行物記載の発明及び上記周知技術に基づいて、当業者が容易に発明をすることができたものである。　
　
（４）むすび　
　以上のとおり、本願発明は、引用刊行物記載の発明及び周知技術に基づいて、当業者が容易に発明をすることができたものであるから、特許法第２９条第２項の規定により特許を受けることができない。　
　したがって、請求項２〜２５に係る発明について審理するまでもなく、本件出願は拒絶されるべきものである。　
　よって、結論のとおり審決する。